(57)【要約】【課題】  本発明は、フード内面と着雪防止板との間に水抜き穴を設け、かつ着雪防止板上端につばを設けることで着雪防止板への着雪を防止することを可能とする表示装置を提供することを目的とするものである。【解決手段】  本発明は、その開口端９が前傾状態でＬＥＤ表示５に取り付けられるフード７と、前記フード７の開口端９との間に水抜き穴１０が設けられる状態で装着される透明状の着雪防止レンズ１２と、前記フード７開口端９の上部周縁に突出される雪付着防止ツバ部１４を備える構成とする。【選択図】      図１
2006299618.tif 000002
【特許請求の範囲】
【請求項１】
その開口端が前傾状態でＬＥＤ表示器に取り付けられるフードと、
前記フードの開口端との間に水抜き穴が設けられる状態で装着される透明状の着雪防止レンズと、
前記フード開口端の上部周縁に突出される雪付着防止ツバ部を備える
ことを特徴とする表示装置。
【請求項２】
前記着雪防止レンズの上端周縁を膨出させて雪付着防止ツバ部とする
ことを特徴とする請求項１記載の表示装置。
【請求項３】
前記フードの上端に、該フードの軸方向に沿って雪割板部を垂直に立設する
ことを特徴とする請求項１または２記載の表示装置。
【請求項４】
前記雪割板部の両側に、傾斜板部を設ける
ことを特徴とする請求項３記載の表示装置。
【請求項５】
前記着雪防止レンズ表面に、光触媒層を設ける
ことを特徴とする請求項１、２、３または４記載の表示装置。
【請求項６】
前記フード表面に、光触媒層を設ける
ことを特徴とする請求項１、２、３、４または５記載の表示装置。
【発明の詳細な説明】
【技術分野】
【０００１】
本発明は、表示装置に関する。詳しくは降雪時に道路標識板、交通信号灯器、案内板などの表示器の表面に雪が付着しないようにした表示装置に係るものである。
【背景技術】
【０００２】
道路標識板、交通信号灯器などの表示器表面への雪の付着を防止する装置として例えば図６に示すような表示装置がある。この表示装置１０１は、フード１０２を有する信号灯器の灯具ユニット１０３と、この灯具ユニット１０３の前方に前傾状態で配置された透明な着雪防止板１０４とを備え、この着雪防止板１０４を前記フード１０２の内側にパッキン１０５を介して組込み、透明な樹脂製のカバー１０６、フード１０２および着脱防止板１０４とによって形成される空間１０７を密閉した構成とする（特許文献１参照。）。
【０００３】
【特許文献１】特開２００３−１０９１８７号公報（要約書、第３図）
【発明の開示】
【発明が解決しようとする課題】
【０００４】
前記表示装置１０１では、風１０８は着雪防止板１０４の表面に当たって減速し当該表面に沿って斜め下方に向かって一様に流れ、着雪防止板１０４に着雪する雪を吹き飛ばす構成とされる。
【０００５】
しかしながら前記透明な着雪防止板１０４は、フード１０２の内側にパッキン１０５を介し空間１０７を密閉した構成とするものであるが、安全に密閉状態とするには技術的に困難であり、表示灯によって暖められる着雪防止板１０４内面と風雪によって冷却される着雪防止板１０４外面との温度差によって結露を生じる可能性がある。
【０００６】
また、着雪防止板１０４を前傾とすることによって着雪防止板１０４に着雪する雪を吹き飛ばす構成とするものであるが、フード１０２上部に積雪した雪が前面に垂れ下がり、その垂れ下がった雪に着雪することで着雪防止板１０４を塞ぐことになり視認を妨げるという問題がある。
【０００７】
本発明は、以上の点に鑑みて創案されたものであって、フード内面と着雪防止板との間に水抜き穴を設け、かつ着雪防止板上端につばを設けることで着雪防止板への着雪を防止することを可能とする表示装置を提供することを目的とするものである。
【課題を解決するための手段】
【０００８】
上記の目的を達成するために、本発明に係る表示装置は、その開口端が前傾状態でＬＥＤ表示器に取り付けられるフードと、前記フードの開口端との間に水抜き穴が設けられる状態で装着される透明状の着雪防止レンズと、前記フード開口端の上部周縁に突出される雪付着防止ツバ部を備える。
【０００９】
ここで、フードの開口端と着雪防止レンズとを密閉構造とせずに、水抜き穴を設けることによって雨水がフード内に入った場合でも結露が生じない構成とし、さらに雪付着防止ツバ部を設けることによってフード上部に積雪した雪が前面に垂れ下がることを防止することが可能となる。
【００１０】
また、フード上端に該フードの軸方向に沿って雪割板を垂直に立設することによってフード上面への積雪を防止することが可能となる。
【００１１】
また、着雪防止レンズ表面に、酸化チタンなどの光触媒溶液を塗布する、あるいは光触媒を焼き付けるなどして光触媒層を設けることにより、その親水性能によって付着した雪も滑り落ち易くなる。さらに、排気ガスなどで汚れた着雪防止レンズ面の汚れを分解し、雨が降ることによって、その親水性能によって容易に汚れを落とすことが可能となる。
【００１２】
また、フード表面に前記同様に光触媒層を設けることにより、その親水性能によってフード上部に積雪した雪も軽減することが可能となる。
【発明の効果】
【００１３】
本発明の表示装置では、前傾させたフード開口端に着雪防止レンズを設けることで、風の吹き溜まりが無くなるとともに、着雪防止レンズ面の傾斜角度によって風雪が下方向へ流れて着雪を軽減することができる。
【００１４】
また、着雪防止レンズをフード開口端に対して密閉状に取り付けずに、下部に水抜き穴を設けることによって、フード内に浸入した雨水などは水抜き穴より排出されることで着雪防止レンズ内面への結露を防止することができる。
【００１５】
また、フード上端に雪割板部および傾斜板部を設けることによってフード上面に積雪するのを低減することができる。さらに、着雪防止レンズ面およびフード外表面に光触媒層を設けることによって着雪の低減および汚れを落とすことが可能となる。
【発明を実施するための最良の形態】
【００１６】
以下、本発明の実施の形態を図面を参酌しながら説明し、本発明の理解に供する。
図１に、本発明を適用した表示装置の一例を説明するための斜視図、図２に、図１における断面説明図を示す。
【００１７】
ここで示す表示装置１は、縦型のＬＥＤ３灯式の交通信号灯器であり、支柱（図示せず。）に支持部材（図示せず。）を介して取付けられる縦長の灯器本体２は、その前面に円形状の開口部３が開設され、この開口部３に適合する透明な合成樹脂製の信号ユニットレンズ４を前方に突出させて組み込まれたＬＥＤ表示部５が灯器本体２内に組み込まれている。
【００１８】
そこで灯器本体２の前面の開口部３の周縁に沿ってフード取付け用筒体６が周設され、このフード取付け用筒体６の外周面に対して、太陽光が信号ユニットレンズ４に直接入射するのを阻止するフード７の基端側を外挿して締結ネジ８によって取り付けられる。
【００１９】
このフード７は、前部開口端９が前傾した状態に形成され、その下部に水抜き穴１０が設けられる。この水抜き穴１０にはネットを張る、あるいは前記水抜き穴１０にリング状のネットを嵌合することで虫やゴミが侵入しないようにするためのネット機構１１が設けられる。
【００２０】
ここで、フード７の開口端９に透明状の着雪防止レンズ１２を装着するものであり、この着雪防止レンズ１２は、その周縁に沿ってフード７の開口端９側内周に密接する連結帯１３が直角状に周設され、さらに着雪防止レンズ１２の上周縁に沿ってフード７周縁より張り出される雪付着防止ツバ部１４が延設されるものである。
【００２１】
したがって、フード７の開口端９に着雪防止レンズ１２の連結帯１３を内挿し、締結ネジ８によって取り付けることにより、フード７の開口端９上周縁に沿って雪付着防止ツバ部１４がフード７の上端縁より突出した状態となる。
【００２２】
なお、フードの素材としてはいかなる素材であっても構わないが、熱伝導率の高い金属、非鉄類または樹脂を用いることにより、積雪後の気温上昇による早期の滑雪を実現することができる。
【００２３】
また、図３に、本発明を適用した表示装置の他の例を説明する斜視図を示すものであり、縦式の信号灯の上部のフード７の開口端９に着雪防止レンズ１２が装着される。そしてフード７の上面の頂部に沿って雪割板部１５が、左右側の傾斜板部１６、１６によって立設され、その前後端には雪付着防止ツバ部１４および隔壁板部１７が取り付けられる。
【００２４】
したがって、雪割板部１５によってフード７の上面に降雪する雪は左右の傾斜板部１６、１６によって滑り落ちることによって積雪することがなく、かつ隔壁板部１７によって灯器本体２への雪の付着を防ぐ構成とするものである。
【００２５】
なお、縦式の信号灯の場合であっては上部のフード７のみに雪割板部１５などを取り付けることで下部のフード７への積雪を防ぐことができる。また、横式の信号灯（図示せず。）にあっては、各フードに雪付着防止ツバ部１４および雪割板部１５などを取り付けるものとする。
【００２６】
また、雪付着防止ツバ部は必ずしも着雪防止レンズをフードの開口端より突出するように延設する必要性はなく、例えば図３に示すようにフードの開口端に三日月形状の雪付着防止ツバ部を取り付ける構成であってもよい。
【００２７】
次に、着雪防止レンズ１２の外表面に酸化チタンなどの光触媒溶液を塗布する、あるいは焼き付けることで光触媒層を設ける。この可視光光触媒には、親水性を有することにより着雪防止レンズ１２に付着した雪を滑り落ち易くすることができるとともに、着雪防止レンズ１２に付着した汚れを分解、除去することができる。
【００２８】
また、フード７自体にも前記同様に光触媒層を設けることで、フード７上部への積雪を軽減し、フード７外表面に付着した雪を早期に滑り落ちやすくすることを可能とする。
【００２９】
なお、本実施例ではフードとフード取付け用筒体との取り付け、フードと着雪防止レンズとの取り付けに必ずしも締結ネジを使用する必要性はなく、リベットやスポット溶接など容易、かつ強固に取る付けることができるものであればいかなる取り付け機構であっても構わない。
【００３０】
以上の構成よりなる本発明の表示装置では図４に示すように、フード７の開口端９に着雪防止レンズ１２を設けることで風の吹き溜まりが無くなり着雪を軽減することができ、信号ユニットレンズ４が直接屋外に晒されることがなくなる。
【００３１】
また、フード７の上部開口端９に雪付着防止ツバ部１４を形成することにより、フード７の上面に積雪した雪が、フード７の開口端９より垂れ下がり信号点灯色の視認を妨げることを防ぐことが可能となる。
【００３２】
ここで、着雪防止レンズ１２が前傾した状態で取り付けられることにより、風Ａは着雪防止レンズ１２の表面に当たって減速して同着雪防止レンズ１２の表面に沿って斜め下方向に流れることで着雪防止レンズ１２表面に付着する雪を吹き飛ばすことにより着雪防止レンズ１２表面への着雪を低減させることが可能となる。
【００３３】
また、着雪防止レンズ１２をフード７の開口端９にパッキンなどによって密閉せずに、その下部に水抜き穴１０を設けることにより、雨水がフード取り付けの締結ネジ８からフード７内部に侵入した場合でも、水抜き穴１０より雨水を排出し、結露を生じさせない構成とするものである。
【００３４】
また、前記水抜き穴１０にネット機構１１を設けることにより虫やゴミなどの侵入を防ぐことができる。
【００３５】
次に、図５に示すようにフード７の上部に雪割板部１５および左右側の傾斜板部１６、１６を設けることによって降雪する雪は雪割板部１５によって左右側に分断し、左右側の傾斜板部１６、１６によってフード７上部より滑り落ちることになり積雪を低減させることが可能となる。
【００３６】
また、フード７の基端に隔壁板部１７を設けることによって吹き付ける雪が隔壁板部１７によって遮られることにより灯器本体２への着雪を低減させることが可能となる。
【図面の簡単な説明】
【００３７】
【図１】本発明を適用した表示装置の一例を説明するための斜視図である。
【図２】図１における断面説明図である。
【図３】本発明を適用した表示装置の他の例を説明するための斜視図である。
【図４】図１における作用説明図である。
【図５】図３における作用説明図である。
【図６】従来の着雪防止用としての表示装置の一例を示す説明図である。
【符号の説明】
【００３８】
１      表示装置
２      灯器本体
３      開口部
４      信号ユニットレンズ
５      ＬＥＤ表示部
６      フード取付け用筒体
７      フード
８      締結ネジ
９      前部開口端
１０    水抜き穴
１１    ネット機構
１２    着雪防止レンズ
１３    連結帯
１４    雪付着防止ツバ部
１５    雪割板部
１６    傾斜板部
１７    隔壁板部
【図１】
2006299618.tif 000003
【図２】
2006299618.tif 000004
【図３】
2006299618.tif 000005
【図４】
2006299618.tif 000006
【図５】
2006299618.tif 000007
【図６】
2006299618.tif 000008